(57)【要約】      （修正有）【課題】ネオン、アルゴン、クリプトン又はキセノンなどの不活性ガスを含む管状断面を持つ透明又は半透明のガラス電球を有する蛍光灯を提供する。【解決手段】前記電球内で電気放電を発生する手段は、ガラス電球の内部表面上に塗布された蛍光物質のコーティングに電力を供給して、可視光線を放出する。前記蛍光物質でコーティングされていない少なくとも一つの領域が、ガラス電球の前記内部表面に備えられ、これで、可視光線が前記蛍光物質によって放出されるが、前記コーティングされていない少なくとも一つの領域からは可視光線が放出されないような繰り返しパターンの外観が生じるようにする。コーティングされていない領域は、ガラス電球に対する螺旋状パターンを画定し、これで、ガラス電球が螺旋状パターンの周りを回転すると、概して上向き又は下向きの運動が蛍光灯を見ている人によって感知されるようにする。【選択図】図１Ａ
2004214195.tif 000002
【特許請求の範囲】
【請求項１】
（ａ）ネオンや、アルゴンや、クリプトンや、キセノンなどの不活性ガスを包含している管状断面形状を持つ透明又は半透明のガラス電球と；
（ｂ）前記電球中に電気放電を発生する手段と；
（ｃ）前記ガラス電球の内部表面に塗布されて、前記手段に電力が供給されると可視光線を放出して電気放電を発生する蛍光物質のコーティングと；
を備える蛍光灯であり、
前記蛍光物質がコーティングされていない少なくとも一つの領域が前記ガラス電球の前記内部表面に備えられており、これで、電気放電を発生する前記手段に電力が供給されると、可視光線が前記蛍光物質によって放出されるが前記コーティングされていない少なくとも一つの領域からは可視光線が放出されないというパターンが繰り返される外観が生じるようになっている、前記蛍光灯。
【請求項２】
前記コーティングが存在する前記電球の内部表面の領域が、電力が供給されると可視光線を放出し、また、前記電球の内部表面のコーティングされていない前記少なくとも一つの領域が光を放出しないが、光に自身を通過させる、請求項１に記載の蛍光灯。
【請求項３】
前記ガラス電球が長尺であり、また、前記ガラス電球を取り付け手段で取り付けるための領域を含む遠心端を有する、請求項１に記載の蛍光灯。
【請求項４】
前記取り付け用領域が、前記取り付け手段を駆動する手段が前記ガラス電球と係合してこれを回転駆動することが可能な駆動領域を含む、請求項３に記載の蛍光灯。
【請求項５】
前記駆動領域が円筒形状であり、前記ガラス電球の第一の遠心端の円形断面と同軸である、請求項４に記載の蛍光灯。
【請求項６】
コーティングされていない少なくとも一つの領域が、前記ガラス電球の長尺方向に沿って長手方向に延長する、請求項３に記載の蛍光灯。
【請求項７】
コーティングされていない前記少なくとも一つの領域が、前記第一と第二の遠心端の中間に備えられる、請求項２に記載の蛍光灯。
【請求項８】
コーティングされていない前記少なくとも一つの領域が、前記第一と第二の遠心端の間を延長するように備えられる、請求項３に記載の蛍光灯。
【請求項９】
前記ガラス電球が実質的に一定の円形断面を持つ、請求項１に記載の蛍光灯。
【請求項１０】
コーティングされていない前記少なくとも一つの領域が、長手方向で螺旋状のものである、請求項１に記載の蛍光灯。
【請求項１１】
コーティングされていない前記少なくとも一つの領域が、前記ガラス電球の内側円周の半分未満の幅（長手方向に対して横断方向）を持つ、請求項１０に記載の蛍光灯。
【請求項１２】
各々が長手方向にそして互いに平行に延長する前記コーティングされていない領域が複数個存在する、請求項１に記載の蛍光灯。
【請求項１３】
前記複数のコーティングされていない領域が、前記ガラス電球の内部円周の半分未満の全体幅（長手方向に対して横断する幅）を持つ、請求項１２に記載の蛍光灯。
【請求項１４】
前記放電発生手段が対を成す電極から成る、請求項１に記載の蛍光灯。
【請求項１５】
前記対を成す電極の内の第一の電極が、前記ガラス電球の第一の遠心端のところに備えられ、前記電極の内の第二の電極が、前記ガラス電球の外部に塗布されたフィルムであって、前記第一の遠心端に近接している前記フィルムに係合されているリードを介して電力が供給される、請求項１４に記載の蛍光灯。
【請求項１６】
前記電球の第二の遠心端が自由端である、請求項３に記載の蛍光灯。
【請求項１７】
前記電極対が、前記ガラス電球の相対する端に備えられ、また、前記ガラス電球の前記端の双方が、前記取り付け手段によって支持される、請求項１４に記載の蛍光灯。
【請求項１８】
前記ガラス電球が長尺であり、また、その第一の端から少なくとも部分的に線形に延長する、請求項３に記載の蛍光灯。
【請求項１９】
前記ガラス電球が長尺であり、また、第二の遠心端のその湾曲した領域を除いてはその第一の端から実質的に線形に延長する、請求項３に記載の蛍光灯。
【請求項２０】
第二の遠心端に対して、非管状セクションが係合されている、請求項３に記載の蛍光灯。
【請求項２１】
前記非管状セクションが球状である、請求項２０に記載の蛍光灯。
【請求項２２】
第二の遠心端が湾曲しているが管状であり、また、前記ガラス電球に対するループ形状を画定する、請求項３に記載の蛍光灯。
【請求項２３】
前記ガラス電球がまっすぐである、請求項１に記載の蛍光灯。
【請求項２４】
前記コーティングされていない領域が、前記ガラス電球に対する螺旋状パターンを画定し、また、前記電球が前記螺旋状パターンの軸の周りを回転すると、概して上向き又は下向きの運動が前記蛍光灯を見ている人によって感知される、請求項１に記載の蛍光灯。
【請求項２５】
新規性の照明効果を提供する照明取り付け具であり、前記照明取り付け具が、請求項１に記載の蛍光灯と取り付け手段とを備え、前記取り付け手段が、前記蛍光灯がその第一の遠心端によってまたはそのところでぴったりと係合する相手側である受領領域を含み、前記受領領域が、前記蛍光灯の長手方向と同軸である軸の周りに前記蛍光灯を回転させる回転手段によって回転させることが可能である、前記照明取り付け具。
【請求項２６】
前記取り付け手段が携帯可能であり、また、電力を供給する手段を含む手持ち式ハウジングを含む、請求項２５に記載の照明取り付け具。
【請求項２７】
前記取り付け手段が、前記取り付け手段のハウジングと共に静止した状態にとどまり、また、フィルムと係合可能であって、第二の電極を画定し、また、フィルムの電力供給を可能とするブラシを含む、請求項２６に記載の照明取り付け具。
【発明の詳細な説明】
【技術分野】
【０００１】
本発明は、たとえば、これに限られないが、たとえば、コンサートやお祭りの機会などでの手持ち式の応用例に本発明を利用することを可能とする蛍光灯及びそれに関連するマウンティングに関する。
【背景技術】
【０００２】
蛍光灯は、多年にわたって、住居及び同等物で主として光を提供するために使用されてきた。蛍光灯は、蛍光物質を内部表面にコーティングした管状電球から成っている。この電球は、一般的には、ネオン、アルゴン、クリプトンもしくはキセノンなどの不活性ガスと電極とを含む。この電極に電力が供給されると、電流がこの不活性ガス中を流れる。放電している間、不活性ガスは紫外線を含むいくつかの波長の光を放出する。この紫外線は、管内の蛍光物質のコーティングに衝突してこれを励起する。蛍光物質コーティングは、励起されると、選ばれた蛍光物質に対応した特定の色の可視光線を放出する。ときとして、少量の水銀を蛍光灯に付加して、より強度の高い紫外線を発生し、これで、蛍光物質コーティングから放出される光の強度を増すようにする。
【０００３】
商業敷地や家庭敷地の照明に用いられる標準の蛍光管から成っているが、この蛍光管では、蛍光物質コーティングが、管の実質的に全長にわたって塗布されている。選ばれた蛍光物質は、通常は、白色又は白色から外れた色を放出し、これで、管が効率的に部屋を照明することが可能となるようにする。この放出される光は、可視光線である。このような蛍光管は、純粋に機能的なものであり、部屋を照明する以外には可視的に訴える効果は提供しない。蛍光照明管は、自身から放出される光を最大化するように製造され、したがって、蛍光物質コーティング内に開口部を有することは、一般に望ましくない。さらにそのうえ、光は明るい強度を持っているので、家庭の照明や商用の照明目的で用いられる蛍光管は、蛍光物質をパターンとして応用することによって、新規な可視的にアピールする効果を与えるのに役立つ。このような管から放出された光の白色、したがって、明るい強度は、どのようなパターン化された光放出の構成を識別したり観察したりすることを人間に対して可能とするには強すぎる。それはまた、手持ち式応用分野で使用することも不可能である。
【０００４】
ＵＳ５５６５６８５やＵＳ５５５７１１２に記載されているような蛍光灯は、そのある部分だけに蛍光物質コーティングを塗布した管を有している。たとえば、ＵＳ５５５７１１２では、さまざまなゾーンに物質をコーティングし、これで、管の全長に沿って異なった放射特徴が提供され得るようにしている。これら二つの米国特許に記載されている管は、人間が見たり、人間の目にアピールしたりする可視光線を提供する応用分野以外の応用分野を有している。これら二つの米国特許仕様書に記載されている管は、肉眼には見えない紫外線を放出し、したがって、人間が、新規性という視覚効果を達成する目的で、ＵＳ５５６５６８５やＵＳ５５５７１１２の蛍光管を利用することは不可能である。
【特許文献１】米国特許第５５６５６８５号明細書
【特許文献２】米国特許第５５５７１１２号明細書
【特許文献２】米国特許第４４７１３５０号明細書
【発明の開示】
【発明が解決しようとする課題】
【０００５】
上記に鑑み、本発明の目的は、目に見える新規性とアピールする効果を生じることが可能であるか、又は、少なくとも公衆に有用な選択肢となる蛍光灯とそれに関連するマウンティングを提供する。
【課題を解決するための手段】
【０００６】
本発明の第一の実施形態による蛍光灯は：
（ａ）ネオンや、アルゴンや、クリプトンや、キセノンなどの不活性ガスを包含している管状断面形状を持つ透明又は半透明のガラス電球と；
（ｂ）前記電球中に電気放電を発生する手段と；
（ｃ）前記ガラス電球の内部表面に塗布されて、前記手段に電力が供給されると可視光線を放出して電気放電を発生する蛍光物質のコーティングと；
を備え、
前記蛍光物質がコーティングされていない少なくとも一つの領域が前記ガラス電球の前記内部表面に備えられており、これで、電気放電を発生する前記手段に電力が供給されると、可視光線が前記蛍光物質によって放出されるが前記コーティングされていない少なくとも一つの領域からは可視光線が放出されないというパターンが繰り返される外観が生じるようになっている前記蛍光灯である。
【０００７】
前記コーティングが存在する前記電球の内部表面の領域は電力が供給されると可視光線を放出し、前記電球の内部表面のコーティングされていない前記少なくとも一つの領域は光を放出しないが、光を透過させるようにするのが望ましい。
【０００８】
前記ガラス電球は長尺であり、前記ガラス電球を取り付け手段で取り付けるための領域を含んでいる第一の遠心端を有するのが望ましい。
【０００９】
前記取り付け用領域が、前記取り付け手段を駆動する手段が係合して前記ガラス電球を回転駆動することが可能な駆動領域を含むのが望ましい。
【００１０】
前記駆動領域は、その形状が円筒形であり、また、前記ガラス管の第一の遠心端の円形断面と同軸であるのが望ましい。
【００１１】
少なくとも一つの領域がコーティングされなくて、前記ガラス管の長尺方向に沿って長手方向に延長するのが望ましい。
【００１２】
前記少なくとも一つのコーティングされない領域が、前記第一の遠心端と第二の遠心端の中間に提供されるのが望ましい。
【００１３】
前記少なくとも一つのコーティングされない領域が、前記第一の遠心端と第二の遠心端との間を延長して提供されるのが望ましい。
【００１４】
前記ガラス管が、実質的に一定の円形断面形状を持つのが望ましい。
【００１５】
前記少なくとも一つのコーティングされない領域が、長手方向の螺旋状のものであるのが望ましい。
【００１６】
前記少なくとも一つのコーティングされない領域が、前記ガラス電球の内側円周の半分未満である幅（長手方向に対して横断する幅）を持つのが望ましい。
【００１７】
各々が長手方向にそして互いに平行に延長する複数の前記コーティングされない領域が存在するのが望ましい。
【００１８】
前記複数のコーティングされない領域の合計幅（長手方向に対して横断する幅）が、前記ガラス電球の内周の半分未満であるのが望ましい。
【００１９】
放電を発生する前記手段が、対を成す電極であるのが望ましい。
【００２０】
前記電極対の内の第一の電極が、前記ガラス電極の第一の遠心端に提供され、前記電極の内の第二の電極が、前記ガラス電極の外部に付着されたフィルムであって、前記第一の遠心端に近接している前記フィルムに係合されているリードを介して電力が供給されるのが望ましい。
【００２１】
前記電球の第二の遠心端が自由端であるのが望ましい。
【００２２】
前記電極対が、前記ガラス電球の相対する端に提供され、前記ガラス電極の前記端の双方が、取り付け手段によって支持されるのが望ましい。
【００２３】
前記ガラス電極が、長尺のものであり、その第一の端から少なくとも部分的に線形に延長するのが望ましい。
【００２４】
前記ガラス電極が、長尺のものであり、前記第二の遠心端にある自身の湾曲した領域を除いてその第一の端から実質的に線形に延長するのが望ましい。
【００２５】
前記第二の遠心端に対して、非管状セクションが係合されるのが望ましい。
【００２６】
前記非管状セクションが球状であるのが望ましい。
【００２７】
前記第二の遠心端が、湾曲しているが管状のものであって、前記ガラス電極に対してループ状の端を画定するのが望ましい。
【００２８】
前記ガラス電球がまっすぐであるのが望ましい。
【００２９】
前記コーティングされない領域が、前記ガラス電球に対してスパイラルドパターンを画定し、前記ガラス電球が前記スパイラルドパターンの軸の周りを回転すると、その概して上向きの又は下向きの運動が前記蛍光灯を見ている人によって感知されるのが望ましい。
【００３０】
第二の態様では、本発明は、新規性の照明効果を提供する照明取り付け具から成り、前記照明取り付け具が、本書にすでに記述した蛍光灯と取り付け手段とを備え、前記取り付け手段が、前記蛍光灯がその第一の遠心端によってまたはそのところでぴったりと係合する相手側である受領領域を含み、前記受領領域が、前記蛍光灯の長手方向と同軸である軸の周りに前記蛍光灯を回転させる回転手段によって回転させることが可能である。
【００３１】
前記取り付け手段が、前記電力を供給する手段を含む手持ち式の携帯可能デバイスであるのが望ましい。
【００３２】
前記取り付け手段が、前記取り付け手段のハウジングと共に静止した状態にとどまり、また、フィルムと係合可能であって、前記第二の電極を画定し、また、フィルムの電力供給を可能とするブラシを含むのが望ましい。
【００３３】
本発明はまた、概して、本出願明細書中に言及されている又は示されている部品、エレメント及び機構の単独もしくは集合並びに前記部品、エレメント又は機構のいずれか二つ以上の内のどれかもしくはすべての組み合わせから成っており、また、本発明が関連する技術上周知の同等物を有する特定の整数が本書に記述されているところでは、このような周知の同等物は、個別に記述されているかのように本書に組み込まれているものと判断される。
【発明を実施するための最良の形態】
【００３４】
本発明は、たとえば、図１Ａに示す蛍光灯から成る。この蛍光灯は、望ましくはガラス製であり、また、望ましくは円筒形形状であり、かつ、実質的に一定の断面を持つ管２を含む。管２は、その一方の端に、たとえば、図１Ａに示すような球状延長部８や図８に示すような他の形状などの不定の断面延長部を有する。このような延長部は、ガラス製であって、ガラス管２と同じ材料の一部として溶断されるか、又は、ガラス管２が形成された後でガラス管２に係合されていたりする。ガラス管２は、外部に対してシールされて、たとえば、ネオン、アルゴン、クリプトン、キセノンなどの不活性ガスを包含している。オプションとして、水銀を付加して、所望しだいで紫外線の光量を増すことは可能であるが；しかしながら、水銀は、本発明を効果的なものとするためには必要はない。ガラス管２は、第一の端９を有し、ここで、電極端子１の少なくとも一方、望ましくは双方ともが備えられる。これら電極端子１は、これらがバッテリから派生した電源などの電源に係合させることが可能であるように備えられる。端子１は、第一の端９のところ又はこれに近接して備えるのが望ましいが、しかしながら、そうする代わりに、これらの端子の内の一方を、管の第二の端１０に装備してもよい。二つの電極端子が端９に近接している好ましい形態を図１Ｂに示す。
【００３５】
不活性ガスの放電させるための電極として、その双方ともを第一の端９から離して備えることが可能であり、ＵＳ４４７１３５０をここに参照する。ＵＳ４４７１３５０の内容では、本発明の目的で利用される種類の蛍光管が記載されている。ＵＳ４４７１３５０の全内容をここに参照して組み込む。図１Ａの項目６は、管の外部に備えられた導電性フィルムを示す。導体３は、この導電性フィルムを電源に対して端子１の内の一方を介して接続する。導電性フィルムをガラス管の外部に取り付ける際に必要とされるステップは次の通りである：（１）ガラス管を加熱する；（２）ＳｎＣｌ４（錫（ＩＶ）塩化物）をガラス管の外部表面上にスプレーする。ＳｎＣｌ４は空気中のＯ２（酸素）と反応して、ＳｎＯ２（錫二酸化物）とＣｌ２（塩素）とを発生する。ＳｎＯ２は（固形では）導電性の材料であり、ガラス管の外部表面にしっかりと付着して、導電性フィルムとなる。
【００３６】
ガラス管２の内部は、蛍光物質４でコーティングされている。この蛍光物質コーティングは、それが、白色以外の色を放出するように選ばれるのが望ましい。新規な視覚効果を提供するために、この蛍光物質は、活気に満ちた色を放出する物質から選ぶのが望ましい。ガラス管２の内部の少なくとも一部が、この蛍光物質でコーティングされる。しかしながら、蛍光物質コーティングには開口部も提供される。この開口部（代替例ではコーティングされていない領域と考えてもよい）によって、ガラス管中に透明領域が生じたことになり、これによって、ガラス管の内部が外部から見ることが可能となる。ガラス管と境を接する蛍光灯の内部は、蛍光物質が管の内部に塗布されているところを除いてすべて外部に露出している。図３を参照すると、蛍光物質４が、開口部１１のところを除いて塗布されていることが分かる。図３に示す複数の開口部１１は、ガラス管の内部表面に対して実質的に平行にそしてそれに沿って長手方向に延長している。開口部は一つしか与えられていないが、少なくとも図３、４及び５では複数の開口部が与えられている様子が示されている。電極に電力が供給されて、ガラス管の内部の不活性ガスが放電して、紫外線が放出されると、蛍光物質４が励起され、これによって、ある色を持つ可視光線が放出される。開口部のところでは、ガラス管から放出される可視光線は、管の遠方側の内部表面上の蛍光物質コーティングから放出されたものである。図１〜６を見れば分かるように、ガラス管は、長尺のものであり、また、実質的に一定の断面形状を持つのが望ましい。
【００３７】
図３、４及び６を参照すると、一つ又は複数の開口部は、元来長手方向にあり、また、長手方向に延長している。図４と６を参照すると、一つ又は複数の開口部もまた、接線方向の方向成分を有している。
【００３８】
図４と６に、開口部を与えることによって発生する螺旋状パターンを示す。
【００３９】
図６に、後出のガラス管の全長に渡って走行して折り、その全長に渡って螺旋状に進んでいる一つの開口部が与えられているガラス管を示す。
【００４０】
図４では、管の全長に渡って螺旋状に進み、類似のしかしより密な螺旋化効果を与える複数の開口部が与えられている。
【００４１】
図５の開口部は、長手方向に延長しない代わりに、たとえば、波のような形状の別個のリングを画定している。事実、どのような所望のパターン化効果でも生じさせることが可能である。
【００４２】
これらの開口部は、ガラス管の内部表面にコーティングされている蛍光物質の一部を擦り取ることによって生成される。このような擦り取る動作は、ガラス管の端の少なくとも一方が開いている間に実行することが可能である。ツールをガラス管の中に挿入して、それをガラス管に対して移動させることによって、蛍光物質の一部を擦り取って、一つ又は複数の開口部を生じさせる。こうする代わりに、蛍光物質は、たとえば、マスクを用いてパターン塗布してもよい。
【００４３】
蛍光物質コーティングに開けられた一つ又は複数の開口部によって、蛍光物質コーティングの外観がパターン化される。このパターン化された外観は、繰り返すような種類のものであるのが望ましい。図２を参照すると、蛍光物質コーティングに開けられた開口部によって、二種類以上のパターンが生じる。また、別の色の蛍光物質コーティングの領域を、管の内部表面に提供することも可能である。このような領域は、それぞれが異なった色の蛍光物質コーティングで個別にコーティングされている二つの管を一緒に接続することによって与えられる。このような多色構成に開いた開口部は、これらの管が一緒に接続される前に又はこれらの管が一緒に接続された後で、蛍光物質コーティングを除去することによって生じたものである。
【００４４】
蛍光灯は、図２〜６に示すような直線管形状から逸脱した形状を有する第二の端１０を有する。たとえば、図７を参照すると、第二の端１０は湾曲しており、また、このような湾曲は、抽象的な意味では、たとえば、蝋燭の炎をシミュレートさせることが可能である。これを図７に示す。したがって、本発明による蛍光灯を用いて、多くの形状の新規性の製品と、目に訴えるようなどのようなパターン化された蛍光物質コーティングでも提供することが可能であることが理解されよう。
【００４５】
蛍光物質コーティングに開口部を設けることによって、管を移動させた場合に、放出された光がさらに、新規性のある視覚経験を生じさせる。蛍光物質が供給され管の領域は、「前景」の可視光線、すなわち、近い側の蛍光物質コーティングから放出される可視光線を放出し、開口部が備えられている領域は、「背景」可視光線、すなわち、ガラス管の遠方側の内部表面に設けられている蛍光物質コーティングから放出される可視光線を放出する。開口部が備えられている管の反対側にある蛍光物質コーティングからの光は、開口部を透過させることが可能である。開口部が備えられている管の反対側の蛍光物質コーティングからの光は、開口部を通過し、管の開口部に隣接しこの開口部と同じ側にある蛍光物質コーティングを通過する光とは異なった品質又は輝度を有している。このようにして、３次元の視覚効果が見る人によって体験される。
【００４６】
本発明の蛍光灯は、図８に示すように、マウンティング１２に取り付けられる。蛍光灯は、その端部の内の一方でしかマウンティングされない。第一の端９は、たとえば、マウンティング１２の受領領域中に挿入される。マウンティング１２は、バッテリなどの電源に対する適切な接続物を含み、これで、電極の電力供給と不活性ガスの放電が管内で発生し得るようにする。したがって、マウンティングは、自蔵式であり、また、オンオフスイッチ１３を含む。蛍光灯は、マウンティング１２によって、それから取り外し可能なように取り付けられる。蛍光灯が一方の端でしか取り付けられない形態では、蛍光灯は、蛍光灯の内部中に延長する電極３２と、管の外部表面上にコーティングされた透明な導電フィルムとを含む。図９Ｂを参照すると、第二の電極３が管の外部表面と接触しており、これによって、透明な導電フィルムを介して導電された電気にとっての導電経路となる。電極３は、管が回転している間は静止しており、また、バネ３３が備えられていて、これで、電極３を管の外部表面に対してバイアスするようになっている。電極３２は駆動ギア３５の開口部３４中に挿入することが可能であり、この場合、駆動ギア自身は、導電物質から作成することが可能である。第二のギア３６は、電気の流れをギア３５から分離するために必要とされる絶縁体となる。
【００４７】
図９Ｃに示すような代替の構成では、蛍光灯は、双方の端で取り付けられている。蛍光灯は、各々が蛍光灯の内部に延長している第一の電極１と第二の電極１０１を管２のそれぞれの端に含んでいる。この二つの電極は各々が、ギアの開口部中に挿入される。電極は、電極の接続先でありまた導電物質製であり得るギアを介するなど適切な接続物を介して電源に接続されている。駆動ギア１０２は、ギアと第一の電極をカップリングさせることによって、管を回転させる。他方のギア１０３は、図９Ｃには図示しないが技術上一般的に周知であるギアシステムを介して駆動ギアと１０２と合わせて回転する。
【００４８】
図１Ｂに示す蛍光灯は交流電源によって電力が供給される。直流バッテリを備える場合、直流／交流コンバータが存在することになり、これが、３ボルトから６ボルトの電圧を持つバッテリから１ｋＨｚを超える周波数を持つ約２００ボルトから約２０００ボルトの交流電圧を出力する。導電フィルムの外部表面は、実質的にグランドと同じ電圧にある。管の内部に延長している電極の電圧は、この交流電圧に応じて変動する。導電フィルムの外部表面は実質的にグランドレベルにあるので、ガラス管の外部表面に触った人は電気ショックを経験することはない。高電圧電極に触っても、発生する電流は非常に小さく、また、健康にとっても危険ではないが、それは、ガラスの抵抗値が非常に高いからである。
【００４９】
さまざまな構成や色の蛍光灯が、たとえば、交換されたり、取り付け手段によって取り付けられたりする。蛍光灯がエンターテイメントやコンサートのような状況で使用されるように設計されている場合、マウンティング１２は、人間の手で運び込んだり手に持ったりするに十分小さいサイズであるのが望ましい。同様に、このようなマウンティングと係合する蛍光灯も、あまり大きくないサイズである。蛍光灯は、たとえば、長さが１ｃｍと１００ｃｍの間であり、直径は０．１５ｃｍと１．５ｃｍの間である。
【００５０】
蛍光物質は、放出される光は、たとえば、３５０ｎｍから７５０ｎｍの可視範囲に入るように選ばれる。
【００５１】
マウンティング１２と蛍光灯は、代替例では、より大きいサイズを持ち、また、従来理髪店で連想される、理髪店の螺旋をシミュレートするように設計される。
【００５２】
このような応用分野における蛍光灯は、これまた、一方の端でだけ取り付けられ、又は代替例では双方の端で取り付けられる。理髪店での応用分野とコンサート／お祭りとの状況の双方において、蛍光灯はマウンティング１２に対して回転されるのが望ましい。図９を参照すると、その内部で管２がその端９のところで係合されているマウンティング１２の内部の基本的なレイアウトが図示されている。管の端子１は、マウンティング１２の補完的端子１４と係合している。管２は、ハウジングに対して回転可能であるように取り付けられる。回転式ベアリング表面１５は、たとえば、その間で管２がぴったりと置かれ、また、それによって回転可能なように支持され得るように備えられる。電気モーター１７によって駆動される駆動ホイール１６などのような回転可能な手段が、管２の外部表面と係合可能である。電気モーターは、回転すると、駆動ホイール１６を回転させ、これが、摩擦によって、歯による係合によって又はベルト駆動によって管と係合して、管をその長手方向軸の周りに回転させる。
【図面の簡単な説明】
【００５３】
【図１Ａ】パターン化された蛍光物質を図示しない、本発明による蛍光灯の側面図である。
【図１Ｂ】本発明による蛍光灯の図であり、蛍光灯の一方の端だけに又はこれに近接して電極を装備することによって管内のガスに電力が供給される様子を図示している。
【図２】蛍光灯の側面図であり、ここで、互いに異なった二つのスタイルのパターンが、管の内部表面にコーティングされた蛍光物質の層に開口部を開けることによって形成されている。
【図３】蛍光物質の代替パターンの図である。
【図４】蛍光物質の代替パターンの図である。
【図５】蛍光物質の代替パターンの図である。
【図６】蛍光物質の代替パターンの図である。
【図７】第二の端が、部分的にまっすぐで、部分的に湾曲している管となるように形成されている蛍光灯の図である。
【図８】マウンティングで取り付けられた管の例の図である。
【図９Ａ】マウンティングの例を示す内面図であり、ここでは、ここで、蛍光管の第一の端がマウンティングと係合しており、また、回転手段を備えて、蛍光灯をマウンティングに対して回転できるようにしている。
【図９Ｂ】回転メカニズムの例の分解斜視図であり、ここで、ブラシ状のコンタクトが、電球の外部に提供された透明な導電フィルムコーティングに装備されている。
【図９Ｃ】回転運動を伝える代替装置の図である。
【図１Ａ】
2004214195.tif 000003
【図１Ｂ】
2004214195.tif 000004
【図２】
2004214195.tif 000005
【図３】
2004214195.tif 000006
【図４】
2004214195.tif 000007
【図５】
2004214195.tif 000008
【図６】
2004214195.tif 000009
【図７】
2004214195.tif 000010
【図８】
2004214195.tif 000011
【図９Ａ】
2004214195.tif 000012
【図９Ｂ】
2004214195.tif 000013
【図９Ｃ】
2004214195.tif 000014
【外国語明細書】
2004214195.tif 000015
2004214195.tif 000016
2004214195.tif 000017
2004214195.tif 000018
2004214195.tif 000019
2004214195.tif 000020
2004214195.tif 000021
2004214195.tif 000022
2004214195.tif 000023
2004214195.tif 000024
2004214195.tif 000025
2004214195.tif 000026
2004214195.tif 000027
1. Abstract
2004214195.tif 000028
2. Representative Drawing
Fig.1A
2004214195.tif 000029
2004214195.tif 000030
2004214195.tif 000031
2004214195.tif 000032
2004214195.tif 000033